(57)【要約】【課題】  棒状の握り柄を排除し、且つ、指孔（把持孔）の形状・位置・数を変更して握り易い把手構造とし、更に利便性の改善や厄を排除する柄無し団扇を開発・提供する事にある。【解決手段】  課題を解決するための手段として、団扇面の基端部に延設した握り柄を排除し、突起体による把持操作手段及び把持孔を設けた柄無し団扇であって、該団扇は団扇面の基端部左右に、２本の指を挿入して固定使用可能な把持孔をそれぞれ設け、且つ、団扇表面中央部に厄除祈願等のお守り札を貼着して設けた事を特徴とするものである。【選択図】  図１
0003147119.tif 000002
【実用新案登録請求の範囲】
【請求項１】
団扇面の基端部に延設した握り柄を排除し、突起体による把持操作手段及び把持孔を設けた柄無し団扇であって、該団扇（Ｘ）は団扇面の基端部左右に、２本の指を挿入して固定使用可能な把持孔（４ｃ）（４ｃ）をそれぞれ設け、且つ、団扇表面（１）中央部に厄除祈願等のお守り札（３）を貼着して設けた事を特徴とするお守り札付柄無し団扇。
【請求項２】
団扇面の基端部中央に設けた突起体（２）は表面凸部（２ａ）と、裏面凹部（２ｂ）を重合可能にして設け、且つ、複数枚の団扇の突起体部を重合させる事で規則正しく整合可能にした事を特徴とする請求項１記載のお守り札付柄無し団扇。
【考案の詳細な説明】
【技術分野】
【０００１】
この考案は、新規な団扇に係り、詳しくは、団扇面の基端部に延設した握り柄を排除し、突起体による把持操作手段を設けた柄無し団扇に関するものである。
【背景技術】
【０００２】
従来より、団扇の把手は、団扇面の基端部から延設した棒状の握り柄として構成されているものが一般的である。そして、団扇面は、団扇骨を基礎部（骨株）から放射状に並べて概略扇状に形成し、且つ、表裏に和紙等を表装して板面形成している。
【０００３】
近年では、団扇骨を樹脂成形し、和紙に限らず種々の図柄を印刷したシート素材を表装して板面形成したものが見られる。
【０００４】
一方、棒状の握り柄を排除した団扇としては、伝統的な工芸品として知られ、団扇面と把手を分離可能で結合可能に構成した京団扇（又は都団扇）と称されるもののなかに、偏平な差し込み式の把手（差し柄）として構成されたものがある。
【０００５】
又、ノベルティーとして提供されたりする簡易構造の団扇類があり、板紙等で団扇面を構成し、団扇面の一部に指孔（把持孔）を形成して把手を構成したものがある。（例えば、特許文献１、２及び３を参照。）
【特許文献１】特開２００３−６１７２６号広報
【特許文献２】特開平８−１９１７０５広報
【特許文献３】登録実用新案広報３００２７３０号広報
【０００６】
しかしながら、様々な団扇があってよく、把手構造にも改善する余地がある。
【考案の開示】
【考案が解決しようとする課題】
【０００７】
そこで、上記課題を解決する為に、この考案は棒状の握り柄を排除し、且つ、指孔（把持孔）の形状・位置・数を変更して握り易い把手構造とし、更に利便性の改善や厄を排除する柄無し団扇を開発・提供する事にある。
【課題を解決するための手段】
【０００８】
課題を解決するための手段として、団扇面の基端部に延設した握り柄を排除し、突起体による把持操作手段及び把持孔を設けた柄無し団扇であって、該団扇は団扇面の基端部左右に、２本の指を挿入して固定使用可能な把持孔をそれぞれ設け、且つ、団扇表面中央部に厄除祈願等のお守り札を貼着して設けた事を特徴とするものである。
【考案の効果】
【０００９】
この考案の効果として、団扇面の基端部左右に、２本の指を挿入して固定使用可能な固定穴をそれぞれ設け、且つ、団扇表面中央部に厄除祈願等のお守り札を貼着して設けた事で、握り易く、持ち運びが便利で、カバンやバッグへの収納性も良く、手軽に利用出来る。又、突起体部の表面凸部と裏面凹部を重合させて規則正しく整合可能にし、更に厄を排除し、又、突起体部と把持孔部に指を掛けて把持操作する（扇ぐ）事で、十分な風量を得る事が出来る等、極めて有益なる効果を奏するものである。
【考案を実施するための最良の形態】
【００１０】
この考案を実施するための最良の形態は、上記構成において、団扇面の基端部中央に設けた突起体は表面凸部と、裏面凹部を重合可能にして設け、且つ、複数枚の団扇の突起体部を重合させる事で規則正しく整合可能にしている。
【実施例１】
【００１１】
そこで、この考案の一実施例を図１〜図３に基づいて詳述すると、団扇面の基端部に延設した握り柄を排除し、突起体による把持操作手段及び把持孔を設けた柄無し団扇であって、該団扇（Ｘ）は団扇面の基端部左右に、２本の指を挿入して固定使用可能な把持孔（４ｃ）（４ｃ）をそれぞれ設け、且つ、団扇表面（１）中央部に厄除祈願等のお守り札（３）を貼着して設けた事を特徴とするお守り札付柄無し団扇から構成される。
【００１２】
次に、この考案の詳細について説明すると、まず、寸法形状は図１に示す様に、縦１９５ｍｍ、横２３０ｍｍのほぼハート形状に形成され、且つ、団扇面の基端部中央には正面視形状が正方形で下面視形状が截頭角錐状に形成し、且つ、団扇表面側に凸部（２ａ）と裏面側に凹部（２ｂ）を形成して設けた突起体（２）を設けて団扇（Ｘ）の把持操作手段として機能する。（突起体の凸凹部は図４の断面図を参照。）
【００１３】
そして、上記突起体（２）は団扇骨（４）の骨株（４ａ）の面上に形成され、且つ、突起体（２）中心部から外枠（５）に向けて中骨（４ｂ）が放射状に係合されている。
【００１４】
又、団扇面の基端部左右には、直径約２０ｍｍの把持孔（４ｃ）（４ｃ）をそれぞれ設けて、使用する際に指を挿入して固定出来るように成っている。
【００１５】
又、団扇表面側中央部には透明ビニール袋（３ａ）に収納した厄除祈願等のお守り札（３）を貼着して設け、且つ、左右両面には厄除祈願の文字（１ａ）を記載し、又、団扇裏面（１'）側には厄除け祈願に対する心得（姿勢）（１ａ'）や加寺祈願拝受印（１ｂ'）や氏名・年齢記載枠（１ｃ'）が記載されている。
【００１６】
そして、本考案のお守り札付柄無し団扇（Ｘ）を使用する際は、団扇の基端部に設けた突起体（２）上部を親指で押さえ、且つ、基端部左右に設けた把持孔（４ｃ）（４ｃ）部に人差し指と中指、又は、中指と薬指等、使用者の使い勝手に合わせた利き指をそれぞれ挿入して把持して使用する。
【００１７】
又、本考案のお守り札付柄無し団扇（Ｘ）を収納する際は、図５に示す様に団扇の基端部に設けた突起体（２）の表面凸部（２ａ）と裏面凹部（２ｂ）をそれぞれ重合させる事で、表裏の向きや外周を綺麗に整合させて収納することができる。
【産業上の利用可能性】
【００１８】
この考案は、棒状の握り柄を排除し、且つ、指孔（把持孔）の形状・位置・数を変更して握り易い把手構造とし、更に利便性の改善や厄を排除する為、多くの市場に寄与する為、産業上の利用可能性を有する。
【図面の簡単な説明】
【００１９】
【図１】この考案の一実施例を示し、（Ａ）は正面図で、（Ｂ）は下面図である。
【図２】この考案の一実施例を示し、裏面図である。
【図３】この考案の一実施例を示し、左側面図である。
【図４】この考案の一実施例を示し、図１（Ａ）のａ−ａ矢視拡大断面図である。
【図５】この考案の使用例を示し、複数枚のお守り札付柄無し団扇を重合して収納時の断面図である。
【符号の説明】
【００２０】
１  団扇表面
１ａ  厄除祈願の文字
１'  団扇裏面
１ａ'   祈願に対する心得（姿勢）
１ｂ'   加寺祈願拝受印
１ｃ'   氏名・年齢記載枠
２  突起体
２ａ  凸部
２ｂ  凹部
３  お守り札
３ａ  透明ビニール袋
４  団扇骨
４ａ  骨株
４ｂ  中骨
４ｃ  把持孔
５  外枠
Ｘ  お守り札付柄無し団扇
【図１】
0003147119.tif 000003
【図２】
0003147119.tif 000004
【図３】
0003147119.tif 000005
【図４】
0003147119.tif 000006
【図５】
0003147119.tif 000007
【手続補正書】
【提出日】平成20年10月14日(2008.10.14)
【手続補正１】
【補正対象書類名】図面
【補正対象項目名】図１
【補正方法】変更
【補正の内容】
【図１】
0003147119.tif 000008
【手続補正２】
【補正対象書類名】図面
【補正対象項目名】図２
【補正方法】変更
【補正の内容】
【図２】
0003147119.tif 000009